(57)【要約】【課題】１つのＬＥＤのみを用いて充電中に、充電中であること以外の内容を好適に通知することができるようにする。【解決手段】本発明に係る情報処理装置においては、発光素子は複数の発光色のうちいずれか１色で発光し、制御部は、発光素子の点滅に関する点滅情報を取得し、情報処理装置が充電中である場合に点滅情報が取得されたとき、点滅情報に含まれる発光素子の点灯ＯＮ区間に基づく発光手段の点灯と、充電中であることを通知するための発光素子の点灯との間に、発光素子の点灯ＯＦＦ区間を設定し、点滅情報に含まれる発光素子の点灯ＯＮ区間と点灯ＯＦＦ区間、および設定された発光手段の点灯ＯＦＦ区間に従い、発光素子の点灯を制御する。【選択図】  図４
2010187322.tif 000002
【特許請求の範囲】
【請求項１】
複数の発光色のうちいずれかで発光する１つの発光手段と、
前記発光手段の点滅に関する点滅情報を取得する取得手段と、
情報処理装置が充電中である場合に前記取得手段により前記点滅情報が取得されたとき、前記点滅情報に含まれる前記発光手段の点灯ＯＮ区間に基づく前記発光手段の点灯と、充電中であることを通知するための前記発光手段の点灯との間に、前記発光手段の点灯ＯＦＦ区間を設定する設定手段と、
前記点滅情報に含まれる前記発光手段の点灯ＯＮ区間と点灯ＯＦＦ区間、および前記設定手段により設定された前記発光手段の点灯ＯＦＦ区間に従い、前記発光手段の点灯を制御する制御手段とを備えることを特徴とする情報処理装置。
【請求項２】
情報処理装置が充電中である場合に前記取得手段により取得される前記点滅情報には、少なくとも、メールが受信されたときに、または着信信号が受信されたときに取得される前記点滅情報が含まれることを特徴とする請求項１に記載の情報処理装置。
【請求項３】
前記制御手段は、充電中であることを通知するために点灯する際に用いられる前記発光手段の第１の発光色と異なる第２の発光色を用いて、前記点滅情報に含まれる前記発光手段の点灯ＯＮ区間に前記発光手段が点灯するように制御することを特徴とする請求項１に記載の情報処理装置。
【請求項４】
前記設定手段により設定された前記発光手段の点灯ＯＦＦ区間は、固定値または任意の値であることを特徴とする請求項１に記載の情報処理装置。
【請求項５】
前記点滅情報に含まれる前記発光手段の点灯ＯＦＦ区間が、前記設定手段により設定される発光手段の点灯ＯＦＦ区間の２倍以下である場合、前記点滅情報に含まれる前記発光手段の点灯ＯＦＦ区間に応じて、前記設定手段により設定される発光手段の点灯ＯＦＦ区間を変更する変更手段とをさらに備えることを特徴とする請求項１に記載の情報処理装置。
【発明の詳細な説明】
【技術分野】
【０００１】
本発明は情報処理装置に係り、特に、ＬＥＤの点滅を制御することができるようにした情報処理装置に関する。
【背景技術】
【０００２】
近年、情報処理装置としての携帯電話機には、単なる音声通話による通信機能だけでなく、アドレス帳機能、メール機能や、ブラウザ機能などの種々の機能が搭載されるようになってきている。従来の携帯電話機では、着信やメールの受信時、およびアラーム鳴動時などにＬＥＤ（Light Emitting Diode）を点滅することにより、ユーザにその旨を通知している。また、携帯電話機を充電する場合、着信時などに用いられるＬＥＤと同一のＬＥＤを、充電開始から充電終了までの間継続的に点灯することによりユーザに充電中である旨を通知している。
【０００３】
なお、ＬＥＤの点灯制御に関する技術として、特開２００８−１７２８３号公報に示される技術が知られている（特許文献１参照）。この技術によれば、充電が開始されるとＬＥＤを点灯し、充電中に着信があるとＬＥＤを点滅する。着信に応答がなされると、ＬＥＤの輝度を下げて点灯する。これにより、ユーザはＬＥＤの点滅を見ることで着信があったことを知ることができ、ＬＥＤを１つだけ備える携帯電話機であったとしても、着信があったことと充電中であることを報知することができる。
【先行技術文献】
【特許文献】
【０００４】
【特許文献１】特開２００８−１７２８３号公報
【発明の概要】
【発明が解決しようとする課題】
【０００５】
特許文献１に提案されている技術では、１つのＬＥＤを用いて、着信があったことと充電中であることを報知することができるが、充電中であることを通知する際に用いられる発光色と同一色を用いてＬＥＤを点滅させることにより、着信があったことを通知するために、健常者にとって充電中に異なる内容の通知がされたことを知ることが困難である。
【０００６】
そこで、通知する内容によってＬＥＤの発光色を変更する方法が考えられる。ところが、仮に携帯電話機の充電中にメールが受信された場合、充電中であることを通知するためのＬＥＤの点灯と、メールの受信を通知するためのＬＥＤの点滅が競合してしまう。この場合、メールの受信を通知するためのＬＥＤの点滅のＯＦＦ区間に、充電中であることを通知するためにＬＥＤが点灯される。その結果、ＬＥＤは充電が終了するまで点灯され続ける。このとき、ユーザは、点灯するＬＥＤの色によっていずれの通知であるかを知ることができる。
【０００７】
しかしながら、先天的または後天的に色覚に異常をもつ方々にとっては、点灯するＬＥＤの色によって通知の内容を判断することは困難である。そのため、携帯電話機の充電中にメールが受信された場合、たとえＬＥＤの色によって異なる内容を通知したとしても、ＬＥＤが点灯中であるということしか判断することが困難であるという状況が想定される。その結果、色覚に異常をもつ方々は、ＬＥＤが点灯し続けている状況に基づき、携帯電話機の充電中であると判断することはできるが、ＬＥＤの色の変化に基づいて携帯電話機の充電中にメールが受信されたと判断することは困難となる。
【０００８】
本発明は、このような状況に鑑みてなされたものであり、１つのＬＥＤのみを用いて、充電中に充電中であること以外の内容を好適に通知することができる情報処理装置を提供することを目的とする。
【課題を解決するための手段】
【０００９】
本発明の情報処理装置は、上述した課題を解決するために、複数の発光色のうちいずれか１色で発光する１つの発光手段と、発光手段の点滅に関する点滅情報を取得する取得手段と、情報処理装置が充電中である場合に取得手段により点滅情報が取得されたとき、点滅情報に含まれる発光手段の点灯ＯＮ区間に基づく発光手段の点灯と、充電中であることを通知するための発光手段の点灯との間に、発光手段の点灯ＯＦＦ区間を設定する設定手段と、点滅情報に含まれる発光手段の点灯ＯＮ区間と点灯ＯＦＦ区間、および設定手段により設定された発光手段の点灯ＯＦＦ区間に従い、発光手段の点灯を制御する制御手段とを備えることを特徴とする。
【発明の効果】
【００１０】
本発明によれば、１つのＬＥＤのみを用いて、充電中に充電中であること以外の内容を好適に通知することができる。
【図面の簡単な説明】
【００１１】
【図１】本発明に係る情報処理装置に適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】発光素子が点滅する際のタイミングチャート。
【図５】図３の携帯電話機における発光素子点灯制御処理を説明するフローチャート。
【図６】図３の携帯電話機における他の発光素子点灯制御処理を説明するフローチャート。
【図７】図３の携帯電話機における他の発光素子点灯制御処理を説明するフローチャート。
【発明を実施するための形態】
【００１２】
以下、本発明の実施の形態について、図面を参照しながら説明する。図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１３】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１４】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１５】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１６】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１７】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１８】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００１９】
なお、第１の筐体１２は、背面側に図示しないバッテリパックが挿着されており、終話・電源キーがオン状態になると、バッテリパックから各回路部に対して電力が供給されて動作可能な状態に起動する。
【００２０】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００２１】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００２２】
図２は、本発明に係る携帯端末として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２３】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。また、第２の筐体１３には、発光素子（ＬＥＤ：Light Emitting Diode）４８が設けられている。この発光素子４８は、着信やメールの受信時、あるいはアラーム鳴動時などに所定の周期で発光する。
【００２４】
図３は、本発明に係る携帯端末に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２６】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２７】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２８】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２９】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３０】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３１】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３３】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３４】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。なお、制御部４１には、必要に応じて１または複数のＣＰＵが備えられる。
【００３５】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３６】
電源回路４４は、バッテリ４３の出力を基に所定の動作電源電圧Ｖｃｃを生成して各回路部に供給する。
【００３７】
従来の携帯電話機１においては、着信やメールの受信時、およびアラーム鳴動時などに発光素子４８を点滅することにより、ユーザにその旨を通知している。図４（Ａ）に示されるように、メールが受信されたことをユーザに通知するために、例えば１００ｍｓの発光素子４８の点灯ＯＮ区間と１０００ｍｓの発光素子４８の点灯ＯＦＦ区間（消灯区間）が交互に設けられ、発光素子４８は点灯ＯＮ区間において青色で発光する。一方、携帯電話機１を充電する場合、携帯電話機１を充電している最中である旨を通知するために、発光素子４８は、充電開始から充電終了までの間継続的に点灯（発光）する。
【００３８】
仮に携帯電話機１の充電中にメールが受信された場合、充電中であることを通知するための発光素子４８の点灯と、メールの受信を通知するための発光素子４８の点滅が競合する。この場合、図４（Ｂ）に示されるように、メールの受信を通知するための発光素子４８の点滅の点灯ＯＦＦ区間に、充電中であることを通知するために発光素子４８が赤色で点灯される。その結果、発光素子４８は充電が終了するまで点灯され続ける。このとき、ユーザは、点灯する発光素子４８の色によっていずれの通知であるかを知ることができる。
【００３９】
しかしながら、先天的または後天的に色覚に異常をもつ方々にとっては、点灯する発光素子４８の色によって通知の内容を判断することは困難である。そのため、携帯電話機１の充電中にメールが受信された場合、たとえ発光素子４８の色によって異なる内容を通知したとしても、発光素子４８が点灯中であるということしか判断することが困難であるという状況が想定される。その結果、色覚に異常をもつ方々は、発光素子４８が点灯し続けている状況に基づき、携帯電話機１の充電中であると判断することはできるが、発光素子４８の色の変化に基づいて携帯電話機１の充電中にメールが受信されたと判断することは困難となる。勿論、色覚の異常の種別によって正確に認識することが可能な色も異なるために、色覚に異常をもつ方々が、発光素子４８の色の変化に基づいて携帯電話機１の充電中にメールが受信されたと判断することが可能な場合もありうる。しかし、携帯電話機１のユーザが発光素子４８の色の変化に基づいて通知の内容を知るためには、発光素子４８をある程度の時間凝視する必要があり、発光素子４８の色の変化に基づいて携帯電話機１の充電中にメールが受信されたと判断することは健常者であったとしても困難であると言わざるを得ない。
【００４０】
そこで、本発明の実施形態においては、携帯電話機１の充電中にメールが受信された場合、メールの受信を通知するための発光素子４８の点滅の点灯ＯＦＦ区間に、充電中であることを通知するために発光素子４８が赤色で点灯されるが、図４（Ｃ）に示されるように、メールの受信を通知するための発光素子４８の青色の点灯と、充電中であることを通知するための発光素子４８の赤色の点灯との間に、発光素子４８の点灯ＯＦＦ区間を設けるようにする。図４（Ｃ）の場合、メールの受信を通知するために発光素子４８が例えば１００ｍｓの間青色で点灯し、発光素子４８がＸｍｓの間消灯した後、充電中であることを通知するために発光素子４８がＹｍｓの間赤色で点灯する。その後、発光素子４８は、メールの受信を通知するために発光素子４８が青色で点灯を開始するまでのＸｍｓの間消灯する。
【００４１】
これにより、先天的または後天的に色覚に異常をもつ方々は、携帯電話機１の充電中にメールが受信された場合であっても、携帯電話機１の充電中に何らかの通知が発生したことを知ることができる。従って、１つの発光素子４８のみを用いて携帯電話機１の充電中に、充電中であること以外の内容を好適に通知することができる。以下、この方法を用いた発光素子点灯制御処理について説明する。
【００４２】
図５のフローチャートを参照して、図３の携帯電話機１における発光素子点灯制御処理について説明する。
【００４３】
ステップＳ１において、制御部４１は、アンテナ３１、受信回路３３、およびＣＤＭＡ信号処理部３６を介してメールが受信されたか、あるいは着信信号が受信されたか否かを判定し、メールが受信されたか、あるいは着信信号が受信されたと判定するまで待機する。ステップＳ１において制御部４１がメールが受信されたか、あるいは着信信号が受信されたと判定した場合、制御部４１はステップＳ２で、メールの受信時または着信時の発光素子４８の点滅に関する点滅情報を記憶部４２から取得する。この点滅情報には、メールの受信時または着信時に点滅する発光素子４８の点灯ＯＮ区間と点灯ＯＦＦ区間が指示されている。記憶部４２は、メールの受信時または着信時の発光素子４８の点滅に関する点滅情報を予め記憶している。メールが受信されたことをユーザに通知するための点滅情報の場合、図４（Ａ）に示されるように、例えば１００ｍｓの発光素子４８の点灯ＯＮ区間と１０００ｍｓの発光素子４８の点灯ＯＦＦ区間が交互に設けられるように指示されている。なお、記憶部４２から取得される点滅情報に指示される点灯ＯＮ区間と点灯ＯＦＦ区間に関するパターンは、メールの受信時の点滅情報であるのか、あるいは、着信時の点滅情報であるのかによって基本的に異なる。また、後述するように、携帯電話機１は、記憶部４２から点滅情報を取得した後、点滅情報により指示される点滅パターンで発光素子４８の点滅を遅滞なく開始する。
【００４４】
ステップＳ３において、制御部４１は、携帯電話機１が充電中であるか否かを判定する。具体的には、制御部４１は、図示せぬ接続端子に充電用のコネクタが接続されているか否かに基づいて、携帯電話機１が充電中であるか否かを判定する。なお、携帯電話機１が充電されている場合、携帯電話機１を充電している最中である旨を通知するために、発光素子４８が充電開始から充電終了までの間赤色で点灯している。
【００４５】
ステップＳ３において制御部４１が、携帯電話機１が充電中ではないと判定した場合、制御部４１はステップＳ４で、記憶部４２から取得された点滅情報に基づいて、メールの受信または着信を通知するための発光素子４８の点滅を開始する。ステップＳ３において制御部４１が、携帯電話機１が充電中であると判定した場合、制御部４１はステップＳ５で、記憶部４２から取得された点滅情報に基づいて、メールの受信または着信を通知するための発光素子４８の点灯と、充電中であることを通知するための発光素子４８の点灯との間に、発光素子４８の点灯ＯＦＦ区間を設定する。具体的には、携帯電話機１の充電中にメールが受信された場合、メールの受信を通知するために発光素子４８が青色で１００ｍｓの間点灯する点灯ＯＮ区間と、充電中であることを通知するために発光素子４８が赤色で点灯する点灯ＯＮ区間との間に、制御部４１は、発光素子４８の点灯ＯＦＦ区間を設けるようにする。図４（Ｃ）の場合、メールの受信を通知するための発光素子４８の１０００ｍｓの点灯ＯＦＦ区間に、充電中であることを通知するために発光素子４８がＹｍｓの間赤色で点灯する。このとき、メールの受信を通知するために発光素子４８が青色で１００ｍｓの間点灯する点灯ＯＮ区間と、充電中であることを通知するために発光素子４８が赤色でＹｍｓの間点灯する点灯ＯＮ区間との間において、発光素子４８がＸｍｓの間消灯する。これにより、メールの受信を通知するための発光素子４８の１００ｍｓの間の青色での点灯と、充電中であることを通知するための発光素子４８のＹｍｓの間の赤色での点灯との間で、発光素子４８がＸｍｓの間消灯されることになる。また、充電中であることを通知するために発光素子４８が赤色でＹｍｓの間点灯する点灯ＯＮ区間と、メールの受信を通知するために発光素子４８が青色で１００ｍｓの間点灯する点灯ＯＮ区間との間において、発光素子４８がＸｍｓの間消灯する。なお、充電中であることを通知するための発光素子４８のＹｍｓの間の点灯ＯＮ区間は、メールの受信を通知するための発光素子４８の１０００ｍｓの点灯ＯＦＦ区間から、発光素子４８のＸｍｓの間の点灯ＯＦＦ区間を２回分引いた区間として求められる。
【００４６】
ステップＳ６において、制御部４１は、発光素子４８を制御し、メールの受信または着信を通知するための発光素子４８の点灯を開始するとともに、設定された発光素子４８の点灯ＯＦＦ区間に従い、充電中であることを通知するための発光素子４８の点灯を継続する。
【００４７】
これにより、点滅情報により指示される点滅パターンを変更することなく、１つの発光素子（ＬＥＤ）４８のみを用いて充電中に、充電中であること以外の内容を好適に通知することができる。その結果、健常者のみならず、色覚に異常をもつ方々にとっての使い勝手を向上させることができる。
【００４８】
なお、図５のステップＳ５において設定される発光素子４８の点灯ＯＦＦ区間（Ｘｍｓ）は固定値として説明したが、ユーザの好みに応じて任意の値に設定するようにしてもよい。また、ユーザが発光素子４８が消灯したことを好適に認識することができるようにするために、発光素子４８の点灯ＯＦＦ区間は１００ｍｓ以上であることが好ましい。さらに、本発明は、外部から取得される点滅情報や、携帯電話機１の購入後に新たにインストールされたアプリケーションからの点滅要求に従って携帯電話機１の充電中に発光素子４８を点滅する場合にも適用することができる。
【００４９】
ところで、携帯電話機１の充電中にメールが受信された場合、充電中であることを通知するための発光素子４８のＹｍｓの間の点灯ＯＮ区間は、メールの受信を通知するための発光素子４８の１０００ｍｓの点灯ＯＦＦ区間から、発光素子４８のＸｍｓの間の点灯ＯＦＦ区間を２回分引いた区間として求められる。しかし、例えばメールの受信を通知するための発光素子４８の点灯ＯＦＦ区間が５００ｍｓであり、かつＸｍｓが２５０ｍｓに固定されているとき、充電中であることを通知するための発光素子４８の点灯ＯＮ区間としてのＹｍｓは０ｍｓとなってしまう。その結果、このままでは携帯電話機１の充電中であることを通知することができなくなってしまう。
【００５０】
勿論、すべての通知を行うべきという観点から、図４（Ｄ）に示されるように、発光素子４８のＸｍｓの間の点灯ＯＦＦ区間を設けないようにしてもよいが、健常者はその通知を知ることはできたとしても、色覚に異常をもつ方々は結局その通知の内容を知ることは困難である。
【００５１】
そこで、充電中に記憶部４２から取得される点滅情報（メールの受信時の発光素子４８の点滅に関する点滅情報）により指示される発光素子４８の点灯ＯＦＦ区間が、充電中に他の通知（メールの受信の通知など）をする際に設定されるＸｍｓの間の発光素子４８の点灯ＯＦＦ区間（具体的には、図４（Ｃ）に示されるＸｍｓの間の発光素子４８の点灯ＯＦＦ区間）の２倍よりも短い場合、発光素子４８の点灯ＯＦＦ区間のＸｍｓを短く設定するようにしてもよい。以下、この方法を用いた発光素子点灯制御処理について説明する。
【００５２】
図６のフローチャートを参照して、図３の携帯電話機１における他の発光素子点灯制御処理について説明する。なお、図６のステップＳＳ１１乃至Ｓ１４、およびステップＳ１６乃至Ｓ１７は、図５のステップＳ１乃至Ｓ６の処理と基本的には同様であり、その説明は繰り返しになるので適宜省略する。
【００５３】
ステップＳ１５において、制御部４１は、記憶部４２から取得された点滅情報に基づいて、点滅情報により指示される発光素子４８の点灯ＯＦＦ区間が、充電中に他の通知をする際に設定される発光素子４８の点灯ＯＦＦ区間としての固定値Ｘｍｓの２倍よりも大きいか否かを判定する。ステップＳ１５において制御部４１が、点滅情報により指示される発光素子４８の点灯ＯＦＦ区間が、充電中に他の通知をする際に設定される発光素子４８の点灯ＯＦＦ区間としての固定値Ｘｍｓの２倍よりも大きいと判定した場合、充電中であることを通知するための発光素子４８の点灯ＯＮ区間としてのＹｍｓを確保することが可能であることから、処理はステップＳ１６に進む。勿論、点滅情報により指示される発光素子４８の点灯ＯＦＦ区間が、充電中に他の通知をする際に設定される発光素子４８の点灯ＯＦＦ区間としての固定値Ｘｍｓの２倍よりも大きいと判定した場合であっても、充電中であることを通知するための発光素子４８の点灯ＯＮ区間としてのＹｍｓが１００ｍｓ以下（例えば５０ｍｓなど）となってしまうときには、ユーザが充電中であることを認識しにくくなることから、後述するステップＳ１８に進むようにしてもよい。これにより、充電中に記憶部４２から取得された点滅情報により指示される発光素子４８の点灯ＯＦＦ区間に応じて、充電中であることを通知するための発光素子４８の点灯ＯＮ区間としてのＹｍｓを１００ｍｓ以上確保することができる。一方、ステップＳ１５において制御部４１が、点滅情報により指示される発光素子４８の点灯ＯＦＦ区間が、充電中に他の通知をする際に設定される発光素子４８の点灯ＯＦＦ区間としての固定値Ｘｍｓの２倍以下であると判定した場合、充電中であることを通知するための発光素子４８の点灯ＯＮ区間としてのＹｍｓを確保することができないことから、制御部４１はステップＳ１８で、点滅情報により指示される発光素子４８の点灯ＯＦＦ区間に応じて、充電中に他の通知をする際に設定される発光素子４８の点灯ＯＦＦ区間としての固定値Ｘｍｓを、新たな値Ｘ´ｍｓに変更する。これにより、充電中であることを通知するための発光素子４８の点灯ＯＮ区間としてのＹｍｓを確保することが可能となる。ここで、Ｘ´ｍｓ＝α×Ｘｍｓの式に示されるように、新たな値Ｘ´ｍｓは固定値Ｘｍｓに対して所定の係数αを乗ずることで求めることができる。固定値Ｘｍｓが２５０ｍｓに設定される場合においては、点滅情報により指示される発光素子４８の点灯ＯＦＦ区間が例えば１０００ｍｓであるときを想定しているものとすると、所定の係数αは、記憶部４２から取得された点滅情報により指示される発光素子４８の点灯ＯＦＦ区間（ｍｓ）／１０００ｍｓにより求められる。より具体的には、固定値Ｘｍｓが２５０ｍｓに設定されており、かつ記憶部４２から取得された点滅情報により指示される発光素子４８の点灯ＯＦＦ区間が６００ｍｓである場合、所定の係数αは、所定の係数α＝６００ｍｓ／１０００ｍｓの式によって０．６と求められるとともに、新たなＸ´ｍｓは、Ｘ´ｍｓ＝０．６×２５０ｍｓの式によって１５０ｍｓと求められる。従って、充電中であることを通知するための発光素子４８の赤色での点灯ＯＮ区間としてのＹｍｓは３００ｍｓ（＝６００ｍｓ−（１５０ｍｓ×２））となる。
【００５４】
以上により、メールの受信を通知するために発光素子４８が青色で１００ｍｓの間点灯する点灯ＯＮ区間と、充電中であることを通知するために発光素子４８が赤色で３００ｍｓの間点灯する点灯ＯＮ区間との間において、発光素子４８が１５０ｍｓの間消灯する。また、充電中であることを通知するために発光素子４８が赤色で３００ｍｓの間点灯する点灯ＯＮ区間と、メールの受信を通知するために発光素子４８が青色で１００ｍｓの間点灯する点灯ＯＮ区間との間において、発光素子４８が１５０ｍｓの間消灯する。これにより、充電中に記憶部４２から取得された点滅情報により指示される発光素子４８の点灯ＯＦＦ区間に応じて、発光素子４８の点灯ＯＦＦ区間としての固定値Ｘｍｓを短く変更することができる。なお、点滅情報により指示される発光素子４８の点灯ＯＦＦ区間が、充電中に他の通知をする際に設定される発光素子４８の点灯ＯＦＦ区間としての固定値Ｘｍｓの２倍よりも大きいと判定した場合に、充電中に記憶部４２から取得された点滅情報により指示される発光素子４８の点灯ＯＦＦ区間に応じて、発光素子４８の点灯ＯＦＦ区間としての固定値Ｘｍｓを長く変更するようにしてもよい。
【００５５】
その後、処理はステップＳ１９に進み、制御部４１は、変更された値Ｘ´ｍｓを用いて、発光素子４８のＯＦＦ区間を設定する。
【００５６】
これにより、充電中に取得される点滅情報により指示される発光素子４８の点灯ＯＦＦ区間が、充電中に他の通知をする際に設定されるＸｍｓの間の発光素子４８の点灯ＯＦＦ区間の２倍よりも短い場合であっても、点滅情報により指示される点滅パターンを変更することなく、１つの発光素子（ＬＥＤ）４８のみを用いて充電中に、充電中であること以外の内容を好適に通知することができる。
【００５７】
なお、図６のフローチャートを用いて説明した発光素子点灯制御処理においては、充電中に取得される点滅情報により指示される発光素子４８の点灯ＯＦＦ区間が、充電中に他の通知をする際に設定されるＸｍｓの間の発光素子４８の点灯ＯＦＦ区間の２倍よりも短い場合、点滅情報により指示される発光素子４８の点灯ＯＦＦ区間に応じて、固定値Ｘｍｓを変更するようにしたが、このような場合に限られない。図４（Ｅ）に示されるように、点滅情報により指示される点滅パターンを変更することなく、１または複数の周期おきに、携帯電話機１の充電中であることを通知するようにしてもよい。この場合における発光素子点灯処理は図７に示される。なお、図７のステップＳ３１乃至Ｓ３７の処理は、図６のステップＳ１１乃至Ｓ１７の処理と基本的に同様であり、その説明は繰り返しになるので省略する。
【００５８】
ステップＳ３５において制御部４１が、点滅情報により指示される発光素子４８の点灯ＯＦＦ区間が、充電中に他の通知をする際に設定される発光素子４８の点灯ＯＦＦ区間としての固定値Ｘｍｓの２倍以下であると判定した場合、充電中であることを通知するための発光素子４８の点灯ＯＮ区間としてのＹｍｓを確保することができないことから、制御部４１はステップＳ３８で、メールの受信を通知するための発光素子４８の５００ｍｓの点灯ＯＦＦ区間を、１周期または複数の周期ごとに、発光素子４８の点灯ＯＦＦ区間と、充電中であることを通知するための発光素子４８の点灯ＯＮ区間に設定する。
【００５９】
これにより、充電中に取得される点滅情報により指示される発光素子４８の点灯ＯＦＦ区間が、充電中に他の通知をする際に設定されるＸｍｓの間の発光素子４８の点灯ＯＦＦ区間の２倍よりも短い場合であっても、点滅情報により指示される点滅パターンを変更することなく、１つの発光素子（ＬＥＤ）４８のみを用いて充電中に、複数の周期を利用して充電中であること以外の内容を好適に通知することができる。
【００６０】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【００６１】
また、本発明の実施形態において説明した一連の処理は、ソフトウェアにより実行させることもできるが、ハードウェアにより実行させることもできる。
【００６２】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００６３】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…発光素子、５０…スピーカ。
【図１】
2010187322.tif 000003
【図２】
2010187322.tif 000004
【図３】
2010187322.tif 000005
【図４】
2010187322.tif 000006
【図５】
2010187322.tif 000007
【図６】
2010187322.tif 000008
【図７】
2010187322.tif 000009